(57)【要約】【課題】周辺機器を接続した場合であっても、外観上の美観を損ねることはなく、かつ、設置スペースを削減することができる電子機器および電子秤装置を提供する。【解決手段】電子秤装置は、筐体と、前記筐体の上面に設けられ、重量の測定対象となる物品が載置される載置面と、前記筐体の内部であって前記載置面の下方位置に設けられ、前記載置面に載置された物品の重量を計量して計量値データを出力する計量部と、前記筐体の側壁に設けられ、機器接続に用いる接続端子を配設した端子部と、前記端子部の上部であって当該端子部を遮蔽する位置に設けられ、前記計量値データに基づく情報を表示する表示装置と、を備える。【選択図】図１
2015132557.tif 000002
【特許請求の範囲】
【請求項１】
筐体と、
前記筐体の側壁に設けられ、機器接続に用いる接続端子を配設した端子部と、
前記端子部の上部であって当該端子部を遮蔽する位置に設けられ、画像情報を表示する表示装置と、
を備えることを特徴とする電子機器。
【請求項２】
前記表示装置は、前記筐体に軸支されて上下方向にチルト可能に設けられ、
前記端子部は、当該表示装置のチルト軸よりも下方位置に設けられている、
ことを特徴とする請求項１記載の電子機器。
【請求項３】
前記表示装置は、操作者が操作する操作部を備えている、
ことを特徴とする請求項１または２記載の電子機器。
【請求項４】
筐体と、
前記筐体の上面に設けられ、重量の測定対象となる物品が載置される載置面と、
前記筐体の内部であって前記載置面の下方位置に設けられ、前記載置面に載置された物品の重量を計量して計量値データを出力する計量部と、
前記筐体の側壁に設けられ、機器接続に用いる接続端子を配設した端子部と、
前記端子部の上部であって当該端子部を遮蔽する位置に設けられ、前記計量値データに基づく情報を表示する表示装置と、
を備えることを特徴とする電子秤装置。
【請求項５】
前記表示装置は、前記筐体に軸支されて上下方向にチルト可能に設けられ、
前記端子部は、当該表示装置のチルト軸よりも下方位置に設けられている、
ことを特徴とする請求項４記載の電子秤装置。
【請求項６】
前記表示装置は、操作者が操作する操作部を備えている、
ことを特徴とする請求項４または５記載の電子秤装置。
【発明の詳細な説明】
【技術分野】
【０００１】
本発明の実施形態は、電子機器および電子秤装置に関する。
【背景技術】
【０００２】
従来、電子機器として、ある物品を計量した場合にその計量値に基づいて計量した物品の金額を算出するようにした電子秤装置がある。
【０００３】
このような電子秤装置は、装置筐体の前面（操作者側）に設けられた表示装置と背面（客側）に設けられた表示装置とに情報をそれぞれ表示することができる。そのため、電子秤装置は、例えば、ショーケースを介して惣菜等を秤売りするような運用を行っている店舗において、ショーケースの上に載置されて使用される。
【０００４】
上述したような電子秤装置において、プリンタなどの周辺機器を接続するための接続端子は、装置筐体の側面に配置されている。
【０００５】
しかしながら、上述のように装置筐体の側面に接続端子を配置した場合、周辺機器との接続ケーブル等が装置筐体から外部に露出することになり、設置スペースの増加や見た目が悪くなる等の問題がある。
【発明の概要】
【発明が解決しようとする課題】
【０００６】
本発明が解決しようとする課題は、周辺機器を接続した場合であっても、外観上の美観を損ねることはなく、かつ、設置スペースを削減することができる電子機器および電子秤装置を提供することである。
【課題を解決するための手段】
【０００７】
実施形態の電子機器は、筐体と、前記筐体の側壁に設けられ、機器接続に用いる接続端子を配設した端子部と、前記端子部の上部であって当該端子部を遮蔽する位置に設けられ、画像情報を表示する表示装置と、を備える。
【０００８】
実施形態の電子秤装置は、筐体と、前記筐体の上面に設けられ、重量の測定対象となる物品が載置される載置面と、前記筐体の内部であって前記載置面の下方位置に設けられ、前記載置面に載置された物品の重量を計量して計量値データを出力する計量部と、前記筐体の側壁に設けられ、機器接続に用いる接続端子を配設した端子部と、前記端子部の上部であって当該端子部を遮蔽する位置に設けられ、前記計量値データに基づく情報を表示する表示装置と、を備える。
【図面の簡単な説明】
【０００９】
【図１】図１は、実施形態にかかる電子秤装置を操作者側から示す外観斜視図である。
【図２】図２は、電子秤装置を操作者側から示す外観斜視図である。
【図３】図３は、ディスプレイを秤皿に対して略平行な位置に位置付けた電子秤装置を操作者側から示す正面図である。
【発明を実施するための形態】
【００１０】
本実施形態は、惣菜や肉等を秤売りする惣菜店や精肉店のショーケースの上に載置して使用する対面用の電子秤装置を電子機器として適用した例を示すものである。
【００１１】
ここで、図１は実施形態にかかる電子秤装置１を操作者側から示す外観斜視図である。図１に示すように、この電子秤装置１は、扁平状の筐体であるハウジング２の上面全体に重量が測定される商品が載置される載置面である秤皿３を有し、店員である操作者側の正面左側に操作者が操作する操作部であるタッチパネル４を備えた表示装置であるディスプレイ５（タッチパネル付き表示装置）を有している。
【００１２】
ディスプレイ５は、薄型のＬＣＤ（Liquid  Crystal  Display）や有機ＥＬ（Electro-Luminescence）を表示部５ａとして構成されている。また、ディスプレイ５には、操作者が操作する操作部であるキーボード部６も設けられている。なお、ハウジング２の内部であって秤皿３の下方位置には、物品の重量を電気的信号として出力する計量部として機能するロードセルユニット（図示せず）が設けられている。
【００１３】
一方、電子秤装置１には、図１に示すように、操作者側と同様に客側にもタッチパネル８を備えたディスプレイ９（タッチパネル付き表示装置）が設けられている。ディスプレイ９も、薄型のＬＣＤや有機ＥＬを表示部９ａとして構成されている。したがって、計量部として機能するロードセルユニットを挟んだ装置両側にタッチパネル４を備えたディスプレイ５と、タッチパネル８を備えたディスプレイ９が設けられていることになる。
【００１４】
また、ディスプレイ５およびディスプレイ９は、ハウジング２に対して上端部を軸（チルト軸）として上下方向に傾け可能（チルト可能）に設けられている。なお、ハウジング２に対するディスプレイ５およびディスプレイ９のチルト機構についての説明は、省略する。
【００１５】
例えば、ディスプレイ５は、図１に示す状態から、ディスプレイ５を下方に傾けてその下縁をハウジング２の下面よりも下方に延出させることが可能である。これは、ハウジング２の設置部７を例えば図示しないショーケースの上面に載置して電子秤装置１を設置し、ディスプレイ５をショーケースの上面よりも下方に位置付けるような使用態様を考慮しての構造である。
【００１６】
また、ディスプレイ５は、図２に示すように、図１に示す状態から上方に傾けられることで、秤皿３に対して略平行な位置に位置付けられることが可能である。同様に、特に図示しないが、ディスプレイ９も、図１に示す状態から上方に傾けられることで、秤皿３に対して略平行な位置に位置付けられることが可能である。これにより、操作者の腰位置ほどの低いショーケース等に電子秤装置１を置いた場合であっても、操作者および客は、ディスプレイ５およびディスプレイ９の表示内容（計量値データに基づく情報など）を確認することができる。
【００１７】
なお、上述のようにディスプレイ５およびディスプレイ９を秤皿３に対して略平行な位置、すなわち略水平面に位置付けた場合、ディスプレイ５およびディスプレイ９は秤皿３に対して５ｍｍほど下方に位置する。このように構成するのは、秤皿３からはみ出す大きさの物体を計量する場合、当該物体がディスプレイ５およびディスプレイ９上に乗り上げてしまうことで正確な計量ができなくなる事態を回避するためである。
【００１８】
ここで、図３はディスプレイ５を秤皿３に対して略平行な位置に位置付けた電子秤装置１を操作者側から示す正面図である。図３に示すように、電子秤装置１は、操作者側のディスプレイ５のチルト軸となる上端部よりも下方に位置するハウジング２に、プリンタなどの周辺機器との接続に用いる複数の接続端子１０を配設した端子部１１を備えている。
【００１９】
端子部１１に配設される接続端子１０は、プリンタなどの周辺機器から延びる各種通信ケーブル（例えば、ＵＳＢ（Universal  Serial  Bus）ケーブルやＬＡＮケーブルなど）１２を接続するための端子や、ＵＳＢメモリ等の小型情報機器１３を接続するための端子である。
【００２０】
そして、図１に示すようにディスプレイ５を下方向に傾けた状態では、端子部１１は、ディスプレイ５によって電子秤装置１を操作する操作者側から遮蔽されることになる。
【００２１】
また、通信ケーブル１２や小型情報機器１３を挿抜する場合には、図１に示す状態からディスプレイ５を上方向に傾けた状態（例えば、図３に示す状態）にする。図３に示すような端子部１１が露出した状態にすることによって、通信ケーブル１２や小型情報機器１３の挿抜を容易に行なうことができる。
【００２２】
さらに、ディスプレイ５がハウジング２に軸支されて上下方向にチルト可能に設けられ、端子部１１が当該ディスプレイ５のチルト軸よりも下方位置に設けられていることにより、ディスプレイ５が端子部１１のカバー代わりとなるので、端子部１１に配設される接続端子１０に対するホコリや水分などの浸入をある程度防止することができる。
【００２３】
さらにまた、ディスプレイ５がハウジング２に軸支されて上下方向にチルト可能に設けられ、端子部１１が当該ディスプレイ５のチルト軸よりも下方位置に設けられていることにより、端子部１１に配設される接続端子１０に対して挿入されてハウジング２から突出した小型情報機器１３に当たらないように、ディスプレイ５のチルト角を変更することができる。
【００２４】
このように本実施形態の電子秤装置１によれば、操作者側のディスプレイ５のチルト軸となる上端部よりも下方に位置するハウジング２に複数の接続端子１０を配設した端子部１１を設けた。これにより、接続端子１０に接続した通信ケーブル１２や小型情報機器１３がハウジング２から露出したとしても操作者側のディスプレイ５によって遮られることになるので、外観上の美観を損ねることはない。
【００２５】
また、本実施形態の電子秤装置１によれば、接続端子がハウジングの側面に設けられている従来の電子秤装置のように、周辺機器を接続するケーブル等が側面側に露出されることは無いので、ショーケースの上に載置して使用する場合の設置スペースを削減することができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１        電子機器、電子秤装置
２        筐体
３        載置面
４，６    操作部
５        表示装置
１０      接続端子
１１      端子部
【先行技術文献】
【特許文献】
【００２８】
【特許文献１】特開平１１−１４２２２８号公報
【図１】
2015132557.tif 000003
【図２】
2015132557.tif 000004
【図３】
2015132557.tif 000005